(57)【特許請求の範囲】
【請求項１】
同期デバイスおよび非同期デバイスを含む異種ネットワーク内でのモバイルデバイスによるワイヤレス通信のための方法であって、前記異種ネットワークは、異なる種類の基地局を含むネットワークであり、
基地局から、前記基地局についてのタイミング情報を受信することと、
前記タイミング情報を備えるタイミング信号を送信することと、前記タイミング信号は、デバイス間発見のために予約された少なくとも１つのサブフレーム中に送信される、
を備え、
前記タイミング信号が、サブフレームの第１の部分中に１つまたは複数のシンボルを使って送信され、前記１つまたは複数のシンボルは、前記サブフレームの前記第１の部分中の最初のシンボルを備える、
ことを特徴とする、
方法。
【請求項２】
前記基地局から、前記タイミング信号を送信するための命令を受信することと、
前記命令が受信された後、前記タイミング信号を送信することと
をさらに備える、請求項１に記載の方法。
【請求項３】
サブフレームの第１の部分中に第１の周波数で１つまたは複数のシンボルを使って前記タイミング信号を送信すること、ここにおいて、追加タイミング信号は、前記サブフレームの第２の部分中に第２の周波数で１つまたは複数のシンボルを使って送信され、前記追加タイミング信号は、追加基地局についてのタイミング情報を備える、をさらに備える、請求項１に記載の方法。
【請求項４】
前記第１の周波数は前記第２の周波数とは異なり、前記サブフレームの前記第１の部分は前記サブフレームの前記第２の部分とは異なる、請求項３に記載の方法。
【請求項５】
前記基地局と前記追加基地局は非近隣基地局である、請求項３に記載の方法。
【請求項６】
デバイス間発見のために予約された前記少なくとも１つのサブフレーム中に前記タイミング信号の１つまたは複数の追加コピーを送信することをさらに備える、請求項１に記載の方法。
【請求項７】
前記タイミング情報および前記タイミング信号は、前記基地局によって送信される１次同期信号（ＰＳＳ）および／または２次同期信号（ＳＳＳ）を備える、請求項１に記載の方法。
【請求項８】
デバイス間発見のために予約された前記少なくとも１つのサブフレーム中にデバイス間発見信号を送信することをさらに備える、請求項１に記載の方法。
【請求項９】
前記デバイス間発見信号は、前記タイミング信号が送信されるサブフレームとは異なるサブフレーム中に送信される、請求項８に記載の方法。
【請求項１０】
前記タイミング情報は、前記基地局についてのシンボルレベルタイミング情報を備える、請求項１に記載の方法。
【請求項１１】
同期デバイスおよび非同期デバイスを含む異種ネットワーク内でのワイヤレス通信のためのモバイルデバイスであって、前記異種ネットワークは、異なる種類の基地局を含むネットワークであり、
基地局から、前記基地局についてのタイミング情報を受信するための手段と、
前記タイミング情報を備えるタイミング信号を送信するための手段と、前記タイミング信号は、デバイス間発見のために予約された少なくとも１つのサブフレーム中に送信される、
を備え、
前記タイミング信号が、前記送信するための手段によって、サブフレームの第１の部分中に１つまたは複数のシンボルを使って送信され、前記１つまたは複数のシンボルは、前記サブフレームの前記第１の部分中の最初のシンボルを備える、
ことを特徴とする、
モバイルデバイス。
【請求項１２】
前記基地局から、前記タイミング信号を送信するための命令を受信するための手段と、
前記命令が受信された後、前記タイミング信号を送信するための手段と
をさらに備える、請求項１１に記載のモバイルデバイス。
【請求項１３】
サブフレームの第１の部分中に第１の周波数で１つまたは複数のシンボルを使って前記タイミング信号を送信するための手段、ここにおいて、追加タイミング信号は、前記サブフレームの第２の部分中に第２の周波数で１つまたは複数のシンボルを使って送信され、前記追加タイミング信号は、追加基地局についてのタイミング情報を備える、をさらに備える、請求項１１に記載のモバイルデバイス。
【請求項１４】
基地局によるワイヤレス通信のための方法であって、
モバイルデバイスに、前記基地局についてのタイミング情報を送信することと、
デバイス間発見のために予約された少なくとも１つのサブフレーム中に、前記タイミング情報を備えるタイミング信号を送信するための命令を前記モバイルデバイスに送信することと
を備え、
サブフレームの一部分中に１つまたは複数のシンボルを識別すること
を特徴とし、ここにおいて、前記タイミング信号は、前記１つまたは複数の識別されたシンボルを使って送信され、前記１つまたは複数のシンボルは、前記サブフレームの前記第１の部分中の最初のシンボルを備える、
方法。
【請求項１５】
ワイヤレス通信のための基地局であって、
プロセッサと、
前記プロセッサと電子通信しているメモリと
を備え、前記メモリは、前記プロセッサによって、
モバイルデバイスに、前記基地局についてのタイミング情報を送信し、
デバイス間発見のために予約された少なくとも１つのサブフレーム中に、前記タイミング情報を備えるタイミング信号を送信するための命令を前記モバイルデバイスに送信する
ように実行可能な命令を記憶し、
サブフレームの一部分中に１つまたは複数のシンボルを識別すること
を特徴とし、
ここにおいて、前記タイミング信号は、前記１つまたは複数の識別されたシンボルを使って送信され、前記１つまたは複数のシンボルは、前記サブフレームの前記第１の部分中の最初のシンボルを備える、
基地局。
【発明の詳細な説明】
【技術分野】
【０００１】
相互参照
[0001]本特許出願は、各々が本出願の譲受人に譲渡された、２０１４年７月１１日に出願された、「Ｔｉｍｉｎｇ  Ｓｙｎｃｈｒｏｎｉｚａｔｉｏｎ  ｆｏｒ  Ｄｅｖｉｃｅ−ｔｏ−Ｄｅｖｉｃｅ  Ｄｉｓｃｏｖｅｒｙ  ｆｏｒ  Ａｓｙｎｃｈｒｏｎｏｕｓ  ＬＴＥ  Ｄｅｐｌｏｙｍｅｎｔｓ」と題する、Ｐａｔｉｌらによる米国特許出願第１４／３２９，６０６号、および２０１３年８月８日に出願された、「Ｔｉｍｉｎｇ  Ｓｙｎｃｈｒｏｎｉｚａｔｉｏｎ  ｆｏｒ  Ｄｅｖｉｃｅ  ｔｏ  Ｄｅｖｉｃｅ  Ｄｉｓｃｏｖｅｒｙ  ｆｏｒ  Ａｓｙｎｃｈｒｏｎｏｕｓ  ＬＴＥ  Ｄｅｐｌｏｙｍｅｎｔｓ」と題する、Ｐａｔｉｌらによる米国仮特許出願第６１／８６３，９０１号の優先権を主張する。
【０００２】
[0002]以下は、概してワイヤレス通信に関し、より詳細には、デバイス間発見に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]概して、ワイヤレス多元接続通信システムは、各々が複数のユーザ機器（ＵＥ）のための通信を同時にサポートする、いくつかの基地局を含み得る。基地局は、ダウンストリームリンクおよびアップストリームリンク上でＵＥと通信し得る。基地局は、互いと通信することもできる。いくつかのケースでは、ＵＥが、デバイス間通信により別のＵＥと直接通信することを望む場合がある。ただし、ＵＥは最初に、別のＵＥを発見しなければならない可能性がある。これは、ＵＥが互いに対して非同期に動作するとき、困難な場合がある。
【発明の概要】
【０００５】
[0005]記載される特徴は概して、デバイス間発見のためのタイミング情報をフォワードし、管理し、および／または検出するための、１つまたは複数の改良された方法、システム、装置、および／またはデバイスに関する。特に、基地局のタイミング情報は、基地局と通信する１つまたは複数のＵＥに送信されてよく、タイミング情報は次いで、基地局に対して非同期に動作する１つまたは複数のＵＥ（たとえば、他の基地局に同期された１つまたは複数のＵＥであって、他の基地局は、タイミング情報を送信する基地局に対して非同期に動作する）にフォワードされてよい。
【０００６】
[0006]いくつかの実施形態では、ワイヤレス通信のための方法は、基地局から、基地局についてのタイミング情報を受信することと、タイミング情報を備えるタイミング信号を送信することと、タイミング信号は、デバイス間発見のために予約された少なくとも１つのサブフレーム中に送信される、を含む。
【０００７】
[0007]いくつかの実施形態では、ワイヤレス通信のための装置は、基地局から、基地局についてのタイミング情報を受信するための手段と、タイミング情報を備えるタイミング信号を送信するための手段と、タイミング信号は、デバイス間発見のために予約された少なくとも１つのサブフレーム中に送信される、を含む。
【０００８】
[0008]いくつかの実施形態では、ワイヤレス通信のための方法は、モバイルデバイスに、基地局についてのタイミング情報を送信することと、デバイス間発見のために予約された少なくとも１つのサブフレーム中に、タイミング情報を備えるタイミング信号を送信するための命令をモバイルデバイスに送信することとを含む。
【０００９】
[0009]いくつかの実施形態では、ワイヤレス通信のための装置は、プロセッサと、プロセッサと電子通信しているメモリと、メモリに記憶された命令とを含む。命令は、プロセッサによって、モバイルデバイスに、装置についてのタイミング情報を送信し、デバイス間発見のために予約された少なくとも１つのサブフレーム中に、タイミング情報を含むタイミング信号を送信するための命令をモバイルデバイスに送信するように実行可能であり得る。
【００１０】
[0010]方法および／または装置の様々な実施形態は、サブフレームの一部分中に１つまたは複数のシンボルを使ってタイミング信号を送信するという特徴、そのための手段、および／またはそのためのプロセッサ実行可能命令を含み得る。いくつかのケースでは、タイミング信号が送信されるサブフレームは、デバイス間発見のために予約された少なくとも１つのサブフレームの中で最初に位置づけられる。
【００１１】
[0011]方法および／または装置の様々な実施形態は、基地局から、タイミング信号を送信するための命令を受信し、命令が受信された後、タイミング信号を送信するという特徴、そのための手段、および／またはそのためのプロセッサ実行可能命令を含み得る。
【００１２】
[0012]方法および／または装置の様々な実施形態は、サブフレームの第１の部分中に第１の周波数で１つまたは複数のシンボルを使ってタイミング信号を送信するという特徴、そのための手段、および／またはそのためのプロセッサ実行可能命令を含むことができ、ここにおいて追加タイミング信号は、サブフレームの第２の部分中に第２の周波数で１つまたは複数のシンボルを使って送信され、追加タイミング信号は、追加基地局についてのタイミング情報を備える。いくつかのケースでは、第１の周波数は第２の周波数とは異なり、サブフレームの第１の部分はサブフレームの第２の部分とは異なる。基地局と追加基地局は非近隣基地局であり得る。
【００１３】
[0013]方法および／または装置の様々な実施形態は、デバイス間発見のために予約された少なくとも１つのサブフレーム中にタイミング信号の１つまたは複数の追加コピーを送信するという特徴、そのための手段、および／またはそのためのプロセッサ実行可能命令を含み得る。いくつかのケースでは、タイミング情報およびタイミング信号は、基地局によって送信される１次同期信号を含む。タイミング情報およびタイミング信号は、基地局によって送信される１次同期信号と２次同期信号とを含み得る。
【００１４】
[0014]方法および／または装置の様々な実施形態は、デバイス間発見のために予約された少なくとも１つのサブフレーム中にデバイス間発見信号を送信するという特徴、そのための手段、および／またはそのためのプロセッサ実行可能命令を含み得る。いくつかのケースでは、デバイス間発見信号は、タイミング信号が送信されるサブフレームとは異なるサブフレーム中に送信される。タイミング情報は、基地局についてのシンボルレベルタイミング情報を含み得る。
【００１５】
[0015]方法および／または装置の様々な実施形態は、サブフレームの一部分中に１つまたは複数のシンボルを識別し、１つまたは複数の識別されたシンボルを使ってタイミング信号を送信するための命令をモバイルデバイスに送信するという特徴、そのための手段、および／またはそのためのプロセッサ実行可能命令を含み得る。
【００１６】
[0016]方法および／または装置の様々な実施形態は、少なくとも１つの他のモバイルデバイスに、基地局についてのタイミング情報を送信し、デバイス間発見のために予約された少なくとも１つのサブフレーム中に、タイミング情報を備えるタイミング信号を送信するための命令を、モバイルデバイスおよび少なくとも１つの他のモバイルデバイスから選択されたモバイルデバイスのサブセットに送信するという特徴、そのための手段、および／またはそのためのプロセッサ実行可能命令を含み得る。
【００１７】
[0017]方法および／または装置の様々な実施形態は、タイミング信号が送信されるサブフレームに拡張サイクリックプレフィックスを適用するという特徴、そのための手段、および／またはそのためのプロセッサ実行可能命令を含み得る。
【００１８】
[0018]説明される方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００１９】
[0019]以下の図面を参照することにより、本発明の性質および利点のさらなる理解が得られ得る。添付の図において、同様の構成要素または特徴は同じ参照ラベルを有し得る。さらに、同じタイプの様々な構成要素は、同様の構成要素の中で区別するダッシュおよび第２のラベルを参照ラベルの後に付けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図面の簡単な説明】
【００２０】
【図１】[0020]ワイヤレス通信システムのブロック図。
【図２】[0021]様々な実施形態による、デバイス間発見のためのタイミング情報をフォワードまたは検出するためのユーザ機器のブロック図。
【図３】様々な実施形態による、デバイス間発見のためのタイミング情報をフォワードまたは検出するためのユーザ機器のブロック図。
【図４】[0022]様々な実施形態による、デバイス間発見のためのタイミング情報をフォワードまたは検出するためのデバイス間発見モジュールの例のブロック図。
【図５】[0023]様々な実施形態による、デバイス間発見のためのタイミング情報を管理するための基地局のブロック図。
【図６】様々な実施形態による、デバイス間発見のためのタイミング情報を管理するための基地局のブロック図。
【図７】[0024]様々な実施形態による、デバイス間発見のためのタイミング情報を管理するためのデバイス間発見管理モジュールの例のブロック図。
【図８】[0025]様々な実施形態による、多入力多出力（ＭＩＭＯ）通信システムの一例を示すブロック図。
【図９】[0026]様々な実施形態によるワイヤレス通信システムの別のブロック図。
【図１０】[0027]ＵＥと基地局との間のタイミング図。
【図１１】[0028]様々な実施形態によるワイヤレス通信システムのさらに別のブロック図。
【図１２】[0029]ＵＥおよび基地局の異なる組合せの間のタイミング図。
【図１３】[0030]様々な実施形態による、デバイス間発見のためのタイミング情報をフォワードするための方法の例のフローチャート。
【図１４】様々な実施形態による、デバイス間発見のためのタイミング情報をフォワードするための方法の例のフローチャート。
【図１５】[0031]様々な実施形態による、デバイス間発見のためのタイミング情報を管理するための方法の例のフローチャート。
【図１６】様々な実施形態による、デバイス間発見のためのタイミング情報を管理するための方法の例のフローチャート。
【図１７】[0032]様々な実施形態による、デバイス間発見のためのタイミング情報を検出するための方法の例のフローチャート。
【図１８】様々な実施形態による、デバイス間発見のためのタイミング情報を検出するための方法の例のフローチャート。
【発明を実施するための形態】
【００２１】
[0033]ワイヤレス通信システムにおけるデバイス間発見のためのタイミング情報のフォワード、管理、および検出について記載する。特に、基地局のタイミング情報は、基地局と通信する１つまたは複数のＵＥに送信されてよく、タイミング情報は次いで、基地局に対して非同期に動作する１つまたは複数のＵＥ（たとえば、他の基地局に同期された１つまたは複数のＵＥであって、他の基地局は、タイミング情報を送信する基地局に対して非同期に動作する）にフォワードされてよい。
【００２２】
[0034]したがって、以下の説明は、例を与えるものであり、特許請求の範囲に記載された範囲、適用可能性、または構成を限定するものではない。本開示の趣旨および範囲から逸脱することなく、論じられる要素の機能および構成において変更が行われ得る。様々な実施形態は、必要に応じて様々な手順または構成要素を省略、置換、または追加することができる。たとえば、説明される方法は、説明される順序と異なる順序で実行されてよく、様々なステップが追加され、省略され、または組み合わせられてよい。また、いくつかの実施形態に関して記載される特徴は、他の実施形態において組み合わせられ得る。
【００２３】
[0035]最初に図１を参照すると、ブロック図は、ワイヤレス通信システム１００の一例を示す。システム１００は、基地局（またはセル）１０５と、ユーザ機器（ＵＥ）１１５と、コアネットワーク１３０とを含む。基地局１０５は、様々な実施形態ではコアネットワーク１３０または基地局１０５の一部であり得る基地局コントローラの制御下でＵＥ１１５と通信し得る。基地局１０５は、バックホール１３２を介してコアネットワーク１３０と制御情報および／またはユーザデータを通信し得る。いくつかの実施形態では、基地局１０５は、ワイヤードまたはワイヤレス通信リンクであり得るバックホールリンク１３４を介して、直接的あるいは間接的に互いに通信し得る。システム１００は、複数の搬送波（異なる周波数の波形信号）上での動作をサポートすることができる。マルチキャリア送信機は、複数のキャリア上で同時に被変調信号を送信し得る。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２４】
[0036]基地局１０５は、１つまたは複数の基地局アンテナを介して、ＵＥ１１５とワイヤレス通信することができる。基地局１０５のサイトの各々は、それぞれのカバレージエリア１１０に通信カバレージを提供することができる。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅノードＢまたはｅＮＢ）、ホームノードＢ、ホームｅノードＢ、あるいは何らかの他の好適な用語で呼ばれることがある。基地局のためのカバレージエリア１１０は、カバレージエリアの一部分のみを構成するセクタに分割され得る。システム１００は、異なる種類の基地局１０５（たとえばマクロ基地局、マイクロ基地局および／またはピコ基地局）を含むこともできる。異なる技術のための重複カバレージエリアがあり得る。
【００２５】
[0037]いくつかの実施形態では、システム１００はＬＴＥ／ＬＴＥ−Ａネットワークであり得る。ＬＴＥ／ＬＴＥ−Ａネットワークでは、発展型ノードＢ（ｅＮＢ）という用語は、概して、基地局１０５を記述するために使用され得る。システム１００は、異なるタイプのｅＮＢが様々な地理的領域にカバレージを与える、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、一般に、比較的大きい地理的エリア（たとえば、半径数キロメートル）をカバーし、ネットワークプロバイダのサービスに加入しているＵＥによる無制限アクセスを可能にすることができる。ピコセルは、一般に、比較的小さい地理的エリアをカバーすることになり、ネットワークプロバイダのサービスに加入しているＵＥによる無制限アクセスを可能にすることができる。フェムトセルも、一般に、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による限定アクセスも提供し得る。マクロセル用のｅＮＢは、マクロｅＮＢと呼ばれる場合がある。ピコセル用のｅＮＢは、ピコｅＮＢと呼ばれる場合がある。また、フェムトセル用のｅＮＢは、フェムトｅＮＢまたはホームｅＮＢと呼ばれる場合がある。ｅＮＢは、１つまたは複数（たとえば、２つ、３つ、４つなど）のセルをサポートすることができる。
【００２６】
[0038]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホール１３２を介して（たとえば、コアネットワーク１３０を通して）、直接的または間接的に互いに通信し得る。ワイヤレス通信システム１００は、同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有することができ、異なるｅＮＢからの送信は時間的に整合されない場合がある。本明細書で説明する技法は、同期動作または非同期動作のいずれかのために使用され得る。
【００２７】
[0039]ＵＥ１１５は、ワイヤレス通信システム１００全体にわたって分散されてよく、各ＵＥは固定されていることがあり得、または移動可能であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。ＵＥ１１５は、セルラー電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２８】
[0040]システム１００に示された通信リンク１２５は、ＵＥ１１５から基地局１０５へのアップリンク（ＵＬ）送信、および／または基地局１０５からＵＥ１１５へのダウンリンク（ＤＬ）送信を含む場合がある。ダウンリンク送信は順方向リンク送信と呼ばれることもあり、アップリンク送信は逆方向リンク送信と呼ばれることもある。
【００２９】
[0041]いくつかのケースでは、ＵＥ１１５−ａは、２つ以上の基地局１０５−ａ、１０５−ｂのカバレージエリア１１０内で動作し得る。ＵＥ１１５−ｂも、単一の基地局１０５−ｂのカバレージエリア１１０内で動作し得る。いずれのケースでも、様々なＵＥ（たとえば、ＵＥ１１５−ａおよびＵＥ１１５−ｂ）は、デバイス間通信により直接通信するのに十分に極近接にあり得る。
【００３０】
[0042]ここで図２を参照すると、ブロック図２００は、様々な実施形態による、デバイス間発見のためのタイミング情報をフォワードおよび／または検出することが可能なＵＥ１１５−ｃを示す。ＵＥ１１５−ｃは、図１を参照しながら説明したＵＥ１１５のうちの１つの、１つまたは複数の態様の一例であり得る。ＵＥ１１５−ｃはプロセッサでもあり得る。ＵＥ１１５−ｃは、ＵＥ受信機モジュール２１０、デバイス間発見モジュール２１５、および／またはＵＥ送信機モジュール２２０を含み得る。これらの構成要素の各々は互いに通信し得る。
【００３１】
[0043]ＵＥ１１５−ｃの構成要素は、個別にまたは集合的に、ハードウェア中の適用可能な機能の一部または全部を実施するように構成された１つまたは複数の特定用途向け集積回路（ＡＳＩＣ）を用いて実装され得る。代替として、それらの機能は、１つまたは複数の他の処理ユニット（またはコア）によって、１つまたは複数の集積回路上で実施される場合がある。他の実施形態では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、および他のセミカスタムＩＣ）が使用される場合がある。各ユニットの機能はまた、全体的または部分的に、１つまたは複数の汎用プロセッサまたは特定用途向けプロセッサによって実行されるようにフォーマットされた、メモリに組み込まれた命令を用いて実装される場合がある。
【００３２】
[0044]ＵＥ受信機モジュール２１０は、ＬＴＥ／ＬＴＥ−Ａ受信機などのセルラー受信機であるか、またはそれを含んでよい。ＵＥ受信機モジュール２１０は、図１を参照しながら説明したワイヤレス通信システム１００など、ワイヤレス通信システムの１つまたは複数の通信チャネルを介して、様々なタイプのデータおよび／または制御信号（すなわち、送信）を受信するために使用され得る。
【００３３】
[0045]ＵＥ送信機モジュール２２０は、ＬＴＥ／ＬＴＥ−Ａ送信機などのセルラー送信機であるか、またはそれを含んでよい。ＵＥ送信機モジュール２２０は、ワイヤレス通信システム１００などのワイヤレス通信システムの１つまたは複数の通信チャネルを介して、様々なタイプのデータおよび／または制御信号を送信するために使用され得る。
【００３４】
[0046]デバイス間発見モジュール２１５は様々な機能を実施することができる。いくつかの実施形態では、デバイス間発見モジュール２１５は、デバイス間発見のためのタイミング情報をフォワードすることができる。より具体的には、デバイス間発見モジュール２１５は、基地局から、基地局についてのタイミング情報を受信し得る。タイミング情報は、ＵＥ受信機モジュール２１０を使って受信され得る。タイミング情報がそこから受信される基地局は、図１を参照して記載した基地局１０５の１つまたは複数の態様の一例であり得る。タイミング情報を受信する間または受信した後、デバイス間発見モジュール２１５は、タイミング情報を含むタイミング信号を送信してよい。タイミング信号は、デバイス間発見のために予約された少なくとも１つのサブフレーム中に送信され得る。タイミング信号は、ＵＥ送信機モジュール２２０を使って送信され得る。タイミング信号は、いくつかの実施形態では、非同期ＬＴＥ展開におけるデバイス間発見のためのタイミング同期に使われ得る。
【００３５】
[0047]いくつかの実施形態では、デバイス間発見モジュール２１５は、デバイス間発見のためのタイミング情報を検出することができる。より具体的には、デバイス間発見モジュール２１５は、サービング基地局から、近隣基地局によってデバイス間発見のために予約されたサブフレームのタイミングを示す情報を受信し得る。情報は、ＵＥ受信機モジュール２１０を使って受信され得る。情報がそこから受信されるサービング基地局は、図１を参照して記載した基地局１０５の１つまたは複数の態様の一例であり得る。サービング基地局から情報を受信した後、デバイス間発見モジュール２１５は、デバイス間発見のために予約されたサブフレームのうちの少なくとも１つの間にタイミング信号を検出することができる。タイミング信号は、ＵＥ受信機モジュール２１０を使って検出され得る。タイミング信号は近隣基地局についてのタイミング情報を含んでよく、このタイミング情報は、近隣基地局によってサービスされるＵＥを発見するのに使われ得る。タイミング情報は、いくつかの実施形態では、非同期ＬＴＥ展開におけるデバイス間発見のためのタイミング同期に使われ得る。
【００３６】
[0048]ここで図３を参照すると、ブロック図３００は、様々な実施形態による、デバイス間発見のためのタイミング情報をフォワードおよび／または検出することが可能なＵＥ１１５−ｄを示す。ＵＥ１１５−ｄは、図１を参照しながら説明したＵＥ１１５のうちの１つの、１つまたは複数の態様の一例であり得る。ＵＥ１１５−ｄはプロセッサでもあり得る。ＵＥ１１５−ｄは、ＵＥ受信機モジュール２１０、デバイス間発見モジュール２１５−ａ、および／またはＵＥ送信機モジュール２２０を含み得る。これらの構成要素の各々は互いに通信し得る。
【００３７】
[0049]ＵＥ１１５−ｄの構成要素は、個別にまたは集合的に、ハードウェア中の適用可能な機能の一部または全部を実施するように構成された１つまたは複数のＡＳＩＣを用いて実装され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、構造化／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００３８】
[0050]ＵＥ受信機モジュール２１０およびＵＥ送信機モジュール２２０は、図２に関して説明したものと同様に構成され得る。デバイス間発見モジュール２１５−ａは、図２を参照して記載したデバイス間発見モジュール２１５−ａの１つまたは複数の態様の一例であってよく、サブフレームモジュール３０５および／または周波数モジュール３１０を含み得る。
【００３９】
[0051]いくつかの実施形態では、サブフレームモジュール３０５および周波数モジュール３１０は各々、基地局から、基地局についてのタイミング情報を受信し得る。タイミング情報は、いくつかのケースでは、基地局についてのシンボルレベルタイミング情報を含み得る。タイミング情報は、ＵＥ受信機モジュール２１０を使って受信され得る。タイミング情報がそこから受信される基地局は、図１を参照して記載した基地局１０５の１つまたは複数の態様の一例であり得る。基地局は、いくつかのケースでは、ＵＥ１１５−ｄ用のサービング基地局であってよく、ＵＥ１１５−ｄは基地局と同期されてよい。基地局は、いくつかのケースでは、特定のセルまたはカバレージエリアに関連付けられ得る。
【００４０】
[0052]タイミング情報を受信する間または受信した後、サブフレームモジュール３０５および周波数モジュール３１０は、タイミング情報を含むタイミング信号を準備するのを支援することができる。いくつかのケースでは、タイミング信号は、基地局から、タイミング信号を送信するための命令を受信した後、準備および／または送信され得る。
【００４１】
[0053]サブフレームモジュール３０５は、アップリンクまたはダウンリンクサブフレームなど、デバイス発見のために予約された少なくとも１つのサブフレームを識別し、タイミング信号を送信するためのサブフレームのうちの１つまたは複数を識別することができる。サブフレームモジュール３０５は、いくつかのケースでは、１つまたは複数のサブフレーム中にタイミング信号がその上で送信され得る１つまたは複数のシンボルを識別することもできる。いくつかのケースでは、サブフレームモジュール３０５によって識別されたサブフレームおよび／またはシンボルは、基地局、もしくはコアネットワークから受信された情報（タイミング情報および／もしくはタイミング信号を送信するための命令中の情報を含む）、ならびに／またはＵＥ１１５−ｄの中に事前プログラムされた情報に基づいて識別され得る。
【００４２】
[0054]周波数モジュール３１０は、サブフレーム中に１つまたは複数のシンボル上でタイミング信号が送信され得る少なくとも１つの周波数を識別することができる。いくつかのケースでは、周波数モジュール３１０によって識別された少なくとも１つの周波数は、基地局、もしくはコアネットワークから受信された情報（タイミング情報および／もしくはタイミング信号を送信するための命令中の情報を含む）、ならびに／またはＵＥ１１５−ｄの中に事前プログラムされた情報に基づいて識別され得る。
【００４３】
[0055]いくつかのケースでは、デバイス間発見モジュール２１５−ａは、タイミング信号を準備し、周波数モジュール３１０によって識別された少なくとも１つの周波数で、サブフレームモジュール３０５によって識別された１つまたは複数のサブフレームの１つまたは複数のシンボル上で送信することができる。タイミング信号は、タイミング信号を送信するための命令を受信した後、何らかの時点で（たとえば、命令を受信した後直ちに、所定もしくは指定された遅延の後で、または何らかの指定された時間に）送信され得る。タイミング信号は、基地局から受信されたタイミング情報を含み得る。タイミング信号は、ＵＥ送信機モジュール２２０を使って送信され得る。タイミング信号は、いくつかの実施形態では、非同期ＬＴＥ展開におけるデバイス間発見のためのタイミング同期に使われ得る。
【００４４】
[0056]いくつかの実施形態では、サブフレームモジュール３０５および周波数モジュール３１０は各々、基地局から、近隣基地局によってデバイス間発見のために予約されたアップリンクまたはダウンリンクサブフレームのタイミングを示す情報を受信し得る。情報は、ＵＥ受信機モジュール２１０を使って受信され得る。タイミング情報がそこから受信される基地局は、図１を参照して記載した基地局１０５の１つまたは複数の態様の一例であり得る。基地局は、いくつかのケースでは、ＵＥ１１５−ｄ用のサービング基地局であってよく、ＵＥ１１５−ｄは基地局と同期されてよい。基地局は、いくつかのケースでは、特定のセルまたはカバレージエリアに関連付けられ得る。
【００４５】
[0057]基地局から情報を受信した後、サブフレームモジュール３０５および周波数モジュール３１０は、デバイス間発見のために予約されたサブフレームのうちの少なくとも１つの間にタイミング信号を検出するのを支援することができる。
【００４６】
[0058]サブフレームモジュール３０５は、タイミング信号がその間に検出され得る少なくとも１つのサブフレームを識別することができる。サブフレームモジュール３０５は、いくつかのケースでは、少なくとも１つのサブフレーム中にタイミング信号がその上で検出され得る１つまたは複数のシンボルを識別することもできる。いくつかのケースでは、サブフレームモジュール３０５によって識別されたサブフレームおよび／またはシンボルは、基地局、もしくはコアネットワークから受信された情報、および／またはＵＥ１１５−ｄ中に事前プログラムされた情報に基づいて識別され得る。
【００４７】
[0059]周波数モジュール３１０は、少なくとも１つのサブフレーム中に１つまたは複数のシンボル上でタイミング信号が検出され得る少なくとも１つの周波数を識別することができる。いくつかのケースでは、周波数モジュール３１０によって識別された少なくとも１つの周波数は、基地局から受信された情報（たとえば、近隣基地局によってデバイス間発見のために予約されたサブフレームのタイミングを示す情報を含む）に基づいて識別され得る。
【００４８】
[0060]いくつかのケースでは、デバイス間発見モジュール２１５−ａは、周波数モジュール３１０によって識別された少なくとも１つの周波数で、サブフレームモジュール３０５によって識別された少なくとも１つのサブフレームの１つまたは複数のシンボル上で近隣基地局のタイミング信号を検出することができる。タイミング信号は近隣基地局についてのタイミング情報を含んでよく、このタイミング情報は、近隣基地局によってサービスされるＵＥを発見するのに使われ得る。タイミング信号は、いくつかの実施形態では、非同期ＬＴＥ展開におけるデバイス間発見のためのタイミング同期に使われ得る。
【００４９】
[0061]ここで図４を参照すると、ブロック図４００は、様々な実施形態によるデバイス間発見モジュール２１５−ｂの一実施形態を示す。モジュール２１５−ｂは、図２および／または図３を参照して記載したデバイス間発見モジュール２１５の１つまたは複数の態様の一例であり得る。モジュール２１５−ｂは、サブフレームモジュール３０５−ａ、周波数モジュール３１０−ａ、タイミング信号モジュール４１５、および／またはデバイス発見モジュール４２０を含み得る。これらの構成要素の各々は互いに通信し得る。
【００５０】
[0062]デバイス間発見モジュール２１５−ｂの構成要素は、個別にまたは集合的に、ハードウェア中の適用可能な機能の一部または全部を実施するように構成された１つまたは複数のＡＳＩＣを用いて実装され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、構造化／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００５１】
[0063]サブフレームモジュール３０５−ａおよび周波数モジュール３１０−ａは、図３を参照して記載したサブフレームモジュール３０５および周波数モジュール３１０のそれぞれの例であってよい。サブフレームモジュール３０５−ａは、サブフレーム選択サブモジュール４０５および／またはシンボル選択サブモジュール４１０を含み得る。これらの構成要素の各々は互いに通信し得る。
【００５２】
[0064]いくつかの実施形態では、サブフレームモジュール３０５−ａおよび周波数モジュール３１０−ａは各々、基地局から、基地局についてのタイミング情報を受信し得る。タイミング情報は、いくつかのケースでは、基地局についてのシンボルレベルタイミング情報を含み得る。タイミング情報がそこから受信される基地局は、図１を参照して記載した基地局１０５の１つまたは複数の態様の一例であり得る。基地局は、いくつかのケースでは、デバイス間発見モジュール２１５−ｂが組み込まれているＵＥ１１５用のサービング基地局であってよく、ＵＥ１１５は基地局と同期されてよい。基地局は、いくつかのケースでは、特定のセルまたはカバレージエリアに関連付けられ得る。
【００５３】
[0065]タイミング情報を受信する間または受信した後、サブフレームモジュール３０５−ａおよび周波数モジュール３１０−ａは、タイミング情報を含むタイミング信号を準備するのを支援することができる。いくつかのケースでは、タイミング信号は、基地局から、タイミング信号を送信するための命令を受信した後、準備および／または送信され得る。
【００５４】
[0066]サブフレーム選択サブモジュール４０５は、アップリンクサブフレームやダウンリンクサブフレームなど、デバイス発見のために予約された少なくとも１つのサブフレームを識別し、アップリンクサブフレームやダウンリンクサブフレームなど、タイミング信号を送信するためのサブフレームのうちの１つまたは複数を識別するのに使われ得る。いくつかのケースでは、識別された１つまたは複数のサブフレームは、デバイス発見のために予約された少なくとも１つのサブフレームの中で最初に位置づけられたサブフレームを含み得る。
【００５５】
[0067]シンボル選択サブモジュール４１０は、サブフレーム選択サブモジュールによって識別された１つまたは複数のサブフレーム中にタイミング信号がその上で送信され得る１つまたは複数のシンボルを識別するのに使われ得る。いくつかのケースでは、シンボル選択サブモジュール４１０は、１つまたは複数のシンボルを含むサブフレームの一部分を識別することによって、１つまたは複数のシンボルを識別し得る。いくつかのケースでは、識別された部分はサブフレームの第１の部分であってよく、タイミング信号がその上で送信される１つまたは複数のシンボルは、サブフレームの最初のいくつかのシンボルであってよい。サブフレームの最初のいくつかのシンボル上でのタイミング信号の送信により、タイミング信号が、モジュール２１５−ｂを組み込むＵＥ１１５が動作するセルに対して非同期に動作する近接セル中で動作するデバイスによって送信されるタイミングおよび／または発見信号と干渉しないようにすることができ、近接セルは、サブフレーム選択サブモジュール４０５によって識別されたサブフレームとオーバーラップするサブフレーム中に、タイミングおよび／または発見信号を送信することができる。
【００５６】
[0068]いくつかのケースでは、サブフレーム選択サブモジュール４０５および／またはシンボル選択サブモジュール４１０によって識別されたサブフレームおよび／またはシンボルは、基地局、もしくはコアネットワークから受信された情報（タイミング情報および／もしくはタイミング信号を送信するための命令中の情報を含む）、ならびに／またはデバイス間発見モジュール２１５−ｂおよび／もしくはそのホストデバイス中に事前プログラムされた情報に基づいて識別され得る。
【００５７】
[0069]周波数モジュール３１０−ａは、サブフレームの一部分（たとえば、シンボル選択サブモジュール４１０によって識別されたサブフレームの一部分）中に１つまたは複数のシンボル上でタイミング信号が送信され得る少なくとも１つの周波数を識別することができる。識別された少なくとも１つの周波数は、いくつかのケースでは、第１の周波数を含んでよく、第１の周波数は、サブフレームの第１の部分中に１つまたは複数のシンボル上でタイミング信号を送信するのに使われ得る。第１の周波数は、サブフレームの第２の部分中に１つまたは複数のシンボル上で追加タイミング信号を送信するのに使われる第２の周波数とは異なり得る。また、サブフレームの第１の部分は、サブフレームの第２の部分とは異なり得る。追加タイミング信号は、デバイス間発見モジュール２１５−ｂを組み込むＵＥ１１５と同期されていない基地局などの追加基地局と同期されたデバイスによって送信され得る。追加タイミング信号は、追加基地局についてのタイミング情報を含んでよく、モジュール２１５−ｂを組み込むＵＥ１１５によって送信されるタイミング信号と同じサブフレーム中に送信されてよいが、それは、追加タイミング信号が、モジュール２１５−ｂを組み込むＵＥ１１５がタイミング信号を送信するサブフレームとオーバーラップする追加サブフレームの一部として送信されるからである。いくつかのケースでは、基地局および追加基地局は非近隣基地局であり得る。いくつかのケースでは、周波数モジュール３１０−ａによって識別された少なくとも１つの周波数は、基地局、もしくはコアネットワークから受信された情報（タイミング情報および／もしくはタイミング信号を送信するための命令中の情報を含む）、ならびに／またはデバイス間発見モジュール２１５−ｂおよび／もしくはそのホストデバイスの中に事前プログラムされた情報に基づいて識別され得る。
【００５８】
[0070]いくつかの実施形態では、タイミング信号モジュール４１５は、タイミング信号を準備し、周波数モジュール３１０−ａによって識別された少なくとも１つの周波数で、サブフレームモジュール３０５−ａによって識別された１つまたは複数のサブフレームの１つまたは複数のシンボル上で送信することができる。タイミング信号は、基地局から受信されたタイミング情報を含み得る。タイミング信号は、タイミング信号を送信するための命令を受信した後、何らかの時点で（たとえば、命令を受信した後直ちに、所定もしくは指定された遅延の後で、または何らかの指定された時間に）送信され得る。タイミング信号は、いくつかの実施形態では、非同期ＬＴＥ展開におけるデバイス間発見のためのタイミング同期に使われ得る。
【００５９】
[0071]いくつかのケースでは、タイミング情報およびタイミング信号は、基地局によって送信される１次同期信号（ＰＳＳ）を含み得る。他のケースでは、タイミング情報およびタイミング信号は、基地局によって送信されるＰＳＳと２次同期信号（ＳＳＳ）の両方を含み得る。
【００６０】
[0072]いくつかのケースでは、タイミング信号の１つまたは複数の追加コピーが、サブフレーム選択サブモジュール４０５によって識別された１つまたは複数のサブフレーム中に送信され得る。たとえば、基地局によって送信されるＰＳＳを含むタイミング信号の複数のコピーが、連続サブフレーム中に送信されてよく、タイミング信号の各後続コピーは、ＰＳＳの反復バージョンを含む。
【００６１】
[0073]いくつかの実施形態では、サブフレームモジュール３０５−ａおよび周波数モジュール３１０−ａは各々、基地局から、１つまたは複数の近隣基地局によってデバイス間発見のために予約されたサブフレームのタイミングを示す情報を受信し得る。情報は、ＵＥ受信機モジュール２１０を使って受信され得る。情報がそこから受信される基地局は、図１を参照して記載した基地局１０５の１つまたは複数の態様の一例であり得る。基地局は、いくつかのケースでは、デバイス間発見モジュール２１５−ｂが組み込まれているＵＥ１１５用のサービング基地局であってよく、ＵＥ１１５は基地局と同期されてよい。基地局は、いくつかのケースでは、特定のセルまたはカバレージエリアに関連付けられ得る。
【００６２】
[0074]基地局から情報を受信した後、サブフレームモジュール３０５−ａおよび周波数モジュール３１０−ａは、デバイス間発見のために予約されたサブフレームのうちの少なくとも１つの間に１つまたは複数のタイミング信号を検出するのを支援することができる。
【００６３】
[0075]サブフレーム選択サブモジュール４０５は、１つまたは複数のタイミング信号がその間に検出され得る、アップリンクサブフレームやダウンリンクサブフレームなど、少なくとも１つのサブフレームを識別するのに使われ得る。シンボル選択サブモジュール４１０は、少なくとも１つのサブフレーム中にタイミング信号がその上で検出され得る１つまたは複数のシンボルを識別することができる。いくつかのケースでは、サブフレーム選択サブモジュール４０５およびシンボル選択サブモジュール４１０によって識別されたサブフレームおよび／またはシンボルは、基地局、もしくはコアネットワークによって受信された情報、ならびに／またはデバイス間発見モジュール２１５−ｂおよび／もしくはそのホストデバイス中に事前プログラムされた情報に基づいて識別され得る。
【００６４】
[0076]周波数モジュール３１０−ａは、少なくとも１つのサブフレーム中に１つまたは複数のシンボル上でタイミング信号が検出され得る少なくとも１つの周波数を識別することができる。いくつかのケースでは、周波数モジュール３１０−ａによって識別された少なくとも１つの周波数は、基地局から受信された情報（たとえば、近隣基地局によってデバイス間発見のために予約されたサブフレームのタイミングを示す情報を含む）に基づいて識別され得る。いくつかのケースでは、周波数モジュール３１０−ａは、第１のタイミング信号が検出され得る第１の周波数と、第２のタイミング信号が検出され得る第２の周波数とを識別することができる。第１のタイミング信号は、第１の近隣基地局についてのタイミング情報を含むことができ、第２のタイミング信号は、第２の近隣基地局についてのタイミング情報を含むことができる。
【００６５】
[0077]いくつかの実施形態では、デバイス発見モジュール４２０は、周波数モジュール３１０−ａによって識別された少なくとも１つの周波数で、サブフレームモジュール３０５−ａによって識別された少なくとも１つのサブフレームの１つまたは複数のシンボル上で近隣基地局のタイミング信号を検出することができる。タイミング信号は、近隣基地局についてのタイミング情報を含むことができ、このタイミング情報は、デバイス発見モジュール４２０によって、近隣基地局によってサービスされる１つまたは複数のＵＥを発見するのに使われ得る。タイミング信号発見は、いくつかの実施形態では、非同期ＬＴＥ展開におけるデバイス間発見のためのタイミング同期に使われ得る。
【００６６】
[0078]ここで図５を参照すると、ブロック図５００は、様々な実施形態による、デバイス間発見のためのタイミング情報を管理することが可能な基地局１０５−ｃを示す。基地局１０５−ｃは、図１を参照しながら説明した基地局１０５のうちの１つの、１つまたは複数の態様の一例であり得る。基地局１０５−ｃはプロセッサでもあり得る。基地局１０５−ｃは、基地局受信機モジュール５１０、デバイス間発見管理モジュール５１５、および／または基地局送信機モジュール５２０を含み得る。これらの構成要素の各々は互いに通信し得る。
【００６７】
[0079]基地局１０５−ｃの構成要素は、個別にまたは集合的に、ハードウェア中の適用可能な機能の一部または全部を実施するように構成された１つまたは複数のＡＳＩＣを用いて実装され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、構造化／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００６８】
[0080]基地局受信機モジュール５１０は、ＬＴＥ／ＬＴＥ−Ａ受信機などのセルラー受信機であるか、またはそれを含んでよい。基地局受信機モジュール５１０は、図１を参照しながら説明したワイヤレス通信システム１００など、ワイヤレス通信システムの１つまたは複数の通信チャネルを介して、様々なタイプのデータおよび／または制御信号（すなわち、送信）を受信するために使用され得る。
【００６９】
[0081]基地局送信機モジュール５２０は、ＬＴＥ／ＬＴＥ−Ａ送信機などのセルラー送信機であるか、またはそれを含んでよい。基地局送信機モジュール５２０は、ワイヤレス通信システム１００などのワイヤレス通信システムの１つまたは複数の通信チャネルを介して、様々なタイプのデータおよび／または制御信号を送信するために使用され得る。
【００７０】
[0082]デバイス間発見管理モジュール５１５は様々な機能を実施することができる。いくつかの実施形態では、デバイス間発見管理モジュール５１５は、基地局１０５−ｃについてのタイミング情報をＵＥ１１５に送信することができる。タイミング情報は、基地局送信機モジュール５２０を使って送信され得る。タイミング情報を送信する前、送信する間、または送信した後、デバイス間発見管理モジュール５１５は、タイミング情報を含むタイミング信号を送信するための命令をＵＥ１１５に送信することができる。命令は、デバイス間発見のために予約された少なくとも１つのサブフレーム中にタイミング信号が送信されるべきであると指定し得る。命令は、基地局送信機モジュール５２０を使って送信され得る。タイミング信号は、いくつかの実施形態では、非同期ＬＴＥ展開におけるデバイス間発見のためのタイミング同期に使われ得る。
【００７１】
[0083]ここで図６を参照すると、ブロック図６００は、様々な実施形態による、デバイス間発見のためのタイミング情報を管理することが可能な基地局１０５−ｄを示す。基地局１０５−ｄは、図１を参照しながら説明した基地局１０５のうちの１つの、１つまたは複数の態様の一例であり得る。基地局１０５−ｄはプロセッサでもあり得る。基地局１０５−ｄは、基地局受信機モジュール５１０、デバイス間発見管理モジュール５１５−ａ、および／または基地局送信機モジュール５２０を含み得る。これらの構成要素の各々は互いに通信し得る。
【００７２】
[0084]基地局１０５−ｄの構成要素は、個別にまたは集合的に、ハードウェア中の適用可能な機能の一部または全部を実施するように構成された１つまたは複数のＡＳＩＣを用いて実装され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、構造化／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００７３】
[0085]基地局受信機モジュール５１０および基地局送信機モジュール５２０は、図５に関して説明したものと同様に構成され得る。デバイス間発見管理モジュール５１５−ａは、図５を参照して記載したデバイス間発見管理モジュール５１５−ａの１つまたは複数の態様の一例であってよく、タイミング情報モジュール６０５および／または命令モジュール６１０を含み得る。
【００７４】
[0086]いくつかの実施形態では、タイミング情報モジュール６０５は、複数のＵＥ１１５に送信するべき、基地局１０５−ｄについてのタイミング情報を選択および／または編集することができる。タイミング情報は、いくつかのケースでは、基地局１０５−ｄについてのシンボルレベルタイミング情報を含み得る。タイミング情報は、基地局送信機モジュール５２０を使ってＵＥ１１５に送信され得る。
【００７５】
[0087]タイミング情報を送信する前、送信する間、または送信した後、命令モジュール６１０は、タイミング情報を含むタイミング信号を送信するための命令を、タイミング情報モジュール６０５によってタイミング情報が送信されたＵＥ１１５の少なくともサブセットに送信することができる。命令は、デバイス間発見のために予約された少なくとも１つのサブフレーム中にタイミング信号が送信されるべきであると指定し得る。命令は、基地局送信機モジュール５２０を使って送信され得る。タイミング信号は、いくつかの実施形態では、非同期ＬＴＥ展開におけるデバイス間発見のためのタイミング同期に使われ得る。
【００７６】
[0088]ここで図７を参照すると、ブロック図７００は、様々な実施形態によるデバイス間発見管理モジュール５１５−ｂの一実施形態を示す。デバイス間発見管理モジュール５１５−ｂは、図５および／または図６を参照して記載したデバイス間発見管理モジュール５１５の１つまたは複数の態様の一例であり得る。デバイス間発見管理モジュール５１５−ｂは、タイミング情報モジュール６０５および／または命令モジュール６１０−ａを含み得る。これらの構成要素の各々は互いに通信し得る。
【００７７】
[0089]デバイス間発見管理モジュール５１５−ｂの構成要素は、個別にまたは集合的に、ハードウェア中の適用可能な機能の一部または全部を実施するように構成された１つまたは複数のＡＳＩＣを用いて実装され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、構造化／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００７８】
[0090]タイミング情報モジュール６０５は、図６に関して説明したものと同様に構成され得る。命令モジュール６１０−ａは、図６に関して説明した命令モジュール６１０の一例であり得る。命令モジュール６１０−ａは、サブフレーム識別サブモジュール７０５、シンボル識別サブモジュール７１０、密度決定サブモジュール７１５、距離決定サブモジュール７２０、および／またはＵＥ選択サブモジュール７２５を含み得る。これらの構成要素の各々は互いに通信し得る。
【００７９】
[0091]いくつかの実施形態では、サブフレーム識別サブモジュール７０５は、アップリンクサブフレームやダウンリンクサブフレームなど、デバイス間発見のために予約された少なくとも１つのサブフレームを識別することができる。サブフレーム識別サブモジュール７０５は、タイミング信号がその間に送信され得る少なくとも１つのサブフレームのうちの１つまたは複数を識別することもできる。識別された１つまたは複数のサブフレームは、いくつかのケースでは、デバイス間発見のために予約された少なくとも１つのサブフレームの中で、最初に位置づけられたサブフレームを含み得る。
【００８０】
[0092]いくつかの実施形態では、シンボル識別サブモジュール７１０は、サブフレームの一部分中に１つまたは複数のシンボルを識別することができる。１つまたは複数のシンボルは、ＵＥ１１５によって、タイミング信号を送信するために使われ得る。サブフレームの部分は、いくつかのケースではサブフレームの第１の部分であってよく、タイミング信号がその上で送信され得る１つまたは複数のシンボルは、サブフレームの最初のいくつかのシンボルであってよい。サブフレームの最初のいくつかのシンボル上でのタイミング信号の送信は、デバイス間発見管理モジュール５１５−ｂを組み込む基地局１０５が動作するセルに対して非同期に動作する近接セル中で動作するデバイスによって送信されるタイミングおよび／または発見信号と、タイミング信号が干渉しないようにすることができ、近接セルは、デバイス間発見管理モジュール５１５−ｂによってタイミング信号が送信されるサブフレームとオーバーラップするサブフレーム中に、タイミングおよび／または発見信号を送信することができる。
【００８１】
[0093]いくつかの実施形態では、密度決定サブモジュール７１５は、デバイス間発見管理モジュール５１５−ｂを組み込む基地局１０５に送信するＵＥ１１５の密度を決定することができる。
【００８２】
[0094]いくつかの実施形態では、距離決定サブモジュール７２０は、デバイス間発見管理モジュール５１５−ｂを組み込む基地局からの、複数のＵＥの各々の距離を決定することができる。
【００８３】
[0095]ＵＥ選択サブモジュール７２５は、送信情報が送信されるＵＥ１１５のサブセットを識別または選択することができる。サブセットは、基地局１０５に送信するＵＥ１１５の密度および／または基地局１０５からの複数のＵＥ１１５の各々の距離に少なくとも部分的に基づいて選択され得る。これは、たとえば、セルもしくはカバレージエリア境界の近くのＵＥのみがタイミング情報をフォワードすることを可能にすることによって、電力消費を削減するのに、および／または干渉（たとえば、オーバーラップするサブフレーム中にＵＥがタイミング信号を送信した結果としての漏れによる）を削減するのに有益であり得る。
【００８４】
[0096]タイミング情報を送信する前、送信する間、または送信した後、命令モジュール６１０−ａは、タイミング情報を含むタイミング信号を送信するための命令を、ＵＥ選択サブモジュール７２５によって識別または選択されたＵＥ１１５のサブセットに送信することができる。命令は、タイミング信号が、サブフレーム識別サブモジュール７０５およびシンボル識別サブモジュール７１０によって識別された１つまたは複数のサブフレームの１つまたは複数のシンボル中に送信されるべきであると指定し得る。タイミング信号は、いくつかの実施形態では、非同期ＬＴＥ展開におけるデバイス間発見のためのタイミング同期に使われ得る。
【００８５】
[0097]図８は、基地局１０５−ｅとＵＥ１１５−ｅとを含むＭＩＭＯ通信システム８００のブロック図である。このシステム８００は、図１を参照しながら説明したシステム１００の１つまたは複数の態様の一例であり得る。ＵＥ１１５−ｅは、図１、図２、図３、および／または図４に関連して説明したＵＥ１１５の一例であり得る。基地局１０５−ｅはアンテナ８３４−ａ〜８３４−ｘを備え得、ＵＥ１１５−ｅはアンテナ８５２−ａ〜８５２−ｎを備え得る。システム８００では、基地局１０５−ｅは複数の通信リンクを介して同時にデータを送ることが可能であり得る。各通信リンクは「レイヤ」と呼ばれる場合があり、通信リンクの「ランク」は、通信に使用されるレイヤの数を示すことができる。たとえば、基地局１０５−ｅが２つの「レイヤ」を送信する２×２ＭＩＭＯシステムでは、基地局１０５−ｅとＵＥ１１５−ｅとの間の通信リンクのランクは２である。
【００８６】
[0098]基地局１０５−ｅにおいて、送信プロセッサ８２０は、データソースからデータを受信することができる。送信プロセッサ８２０は、データを処理し得る。送信プロセッサ８２０はまた、制御シンボルおよび／または基準シンボルを生成し得る。送信（ＴＸ）ＭＩＭＯプロセッサ８３０が、適用可能な場合、データシンボル、制御シンボル、および／または基準シンボルに対して空間処理（たとえば、プリコーディング）を実施し得、出力シンボルストリームを送信変調器８３２−ａ〜８３２−ｘに与え得る。各変調器８３２は、出力サンプルストリームを取得するために、（たとえば、ＯＦＤＭなどのために）それぞれの出力シンボルストリームを処理し得る。各変調器８３２はさらに、ＤＬ信号を取得するために、出力サンプルストリームを処理（たとえば、アナログへの変換、増幅、フィルタ処理、およびアップコンバート）し得る。一例では、変調器８３２−ａ〜８３２−ｘからのＤＬ信号は、それぞれアンテナ８３４−ａ〜８３４−ｘを介して送信され得る。
【００８７】
[0099]ＵＥ１１５−ｅにおいて、ＵＥアンテナ８５２−ａ〜８５２−ｎは、基地局１０５−ｃからＤＬ信号を受信し得、受信された信号をそれぞれ復調器８５４−ａ〜８５４−ｎに供給し得る。各復調器８５４は、入力サンプルを取得するために、それぞれの受信された信号を調整（たとえば、フィルタ処理、増幅、ダウンコンバート、およびデジタル化）し得る。各復調器８５４は、受信されたシンボルを取得するために、（たとえば、ＯＦＤＭなどのために）入力サンプルをさらに処理し得る。ＭＩＭＯ検出器８５６は、すべての復調器８５４−ａ〜８５４−ｎから受信シンボルを取得し、適用可能な場合は受信シンボルに対してＭＩＭＯ検出を実施し、検出シンボルを与え得る。受信プロセッサ８５８は、検出シンボルを処理（たとえば、復調、デインターリーブ、および復号）して、ＵＥ１１５−ｅについて復号されたデータをデータ出力に与え、復号された制御情報をプロセッサ８８０、またはメモリ８８２に与え得る。
【００８８】
[0100]プロセッサ８８０は、いくつかのケースでは、デバイス間発見モジュール２１５−ｃをインスタンス化するための記憶された命令を実行することができる。いくつかの実施形態では、デバイス間発見モジュール２１５−ｃは、図２、図３、および／または図４を参照して記載したデバイス間発見モジュール２１５の１つまたは複数の態様の一例であり得る。
【００８９】
[0101]アップリンク（ＵＬ）上で、ＵＥ１１５−ｅにおいて、送信プロセッサ８６４が、データソースからデータを受信し、処理し得る。送信プロセッサ８６４は、基準信号についての基準シンボルを生成してもよい。送信プロセッサ８６４からのシンボルは、適用可能な場合、送信ＭＩＭＯプロセッサ８６６によってプリコードされ、変調器８５４−ａ〜８５４−ｎによって（たとえば、ＳＣ−ＦＤＭＡなどのために）さらに処理され、基地局１０５−ｅから受信された送信パラメータに従って基地局１０５−ｅに送信され得る。基地局１０５−ｃにおいて、ＵＥ１１５−ｅからのＵＬ信号がアンテナ８３４によって受信され、復調器８３２によって処理され、適用可能な場合、ＭＩＭＯ検出器８３６によって検出され、受信プロセッサによってさらに処理され得る。受信プロセッサ８３８は、復号データをデータ出力およびプロセッサ８４０に与え得る。
【００９０】
[0102]プロセッサ８４０は、いくつかのケースでは、デバイス間発見管理モジュール５１５−ｃをインスタンス化するための記憶された命令を実行することができる。いくつかの実施形態では、デバイス間発見管理モジュール５１５−ｃは、図５、図６、および／または図７を参照して記載したデバイス間発見管理モジュール５１５の１つまたは複数の態様の一例であり得る。
【００９１】
[0103]ＵＥ１１５−ｅの構成要素は、個別にまたは集合的に、ハードウェア中の適用可能な機能の一部または全部を実施するように構成された１つまたは複数のＡＳＩＣを用いて実装され得る。言及したモジュールの各々は、システム８００の動作に関係する１つまたは複数の機能を実施するための手段であり得る。同様に、基地局１０５−ｅの構成要素は、個別にまたは集合的に、ハードウェア中の適用可能な機能の一部または全部を実施するように構成された１つまたは複数のＡＳＩＣを用いて実装され得る。言及した構成要素の各々は、システム８００の動作に関係する１つまたは複数の機能を実施するための手段であり得る。
【００９２】
[0104]図９を参照すると、ブロック図が、ワイヤレス通信システム９００の一例を示している。システム９００は、複数の通信リンク１２５を介して複数のＵＥ１１５−ｆのうちの様々なものと通信している複数の基地局１０５−ｆを含み得る。基地局１０５−ｆの各々は、ワイヤレス通信システム９００のセルを画定する、対応するカバレージエリア９０５−ａを有し得る。システム９００は、いくつかのケースでは多重キャリアＬＴＥネットワークであってよく、いくつかのケースでは、図１を参照して記載したワイヤレス通信システム１００の１つまたは複数の態様の一例であってよい。基地局１０５−ｆは、図１、図５、図６、図７、および／または図８を参照して記載した基地局１０５の例であってよく、ＵＥ１１５は、図１、図２、図３、図４、および／または図８を参照して記載したＵＥの例であってよい。
【００９３】
[0105]システム９００の１つの動作モードにおいて、基地局１０５−ｆ−２をそのサービング基地局として有するＵＥ１１５−ｆ−３は、基地局１０５−ｆ−２のカバレージエリア９０５−ａ−２のエッジに接近して配置されてよく、したがって、基地局１０５−ｆ−３をそのサービング基地局として有するＵＥ１１５−ｆ−４によって検出可能であり得る。ＵＥ１１５−ｆ−４がＵＥ１１５−ｆ−３を発見するために、ＵＥ１１５−ｆ−４は、どのサブフレームが基地局１０５−ｆ−２によってデバイス間発見のために予約されているかを知る必要があり得る。いくつかのケースでは、この情報は、基地局１０５−ｆ３を介してＵＥ１１５−ｆ−４にフォワードされ得る。ＵＥ１１５−ｆ−３も、基地局１０５−ｆ−２によって使われるシンボルレベルタイミングを知る必要もあり得る。いくつかのケースでは、シンボルレベルタイミングは、基地局１０５−ｆ−２によって送信されるＰＳＳおよび／またはＳＳＳを検出することによって知られ得る。ただし、ＰＳＳおよび／またはＳＳＳは、約−８デシベル（ｄＢ）までしか復号され得ない。したがって、ＵＥ１１５−ｆ−４が基地局１０５−ｆ−３に接近し、および／または信号フェージングが起こると、ＵＥ１１５−ｆ−４は、基地局１０５−ｆ−２のシンボルレベルタイミングを復号することができない場合がある。
【００９４】
[0106]システム９００の別の動作モードにおいて、基地局１０５−ｆ−２は、シンボルレベルタイミング情報などのタイミング情報を、基地局がそれらのためのサービング基地局であるＵＥ１１５−ｆ−２、１１５−ｆ−３のうちの１つまたは複数に送信することができる。ＵＥ１１５−ｆ−２、１１５−ｆ−３の各々は次いで、デバイス間発見のためのタイミング情報をフォワードすることができる。このようにして、基地局１０５−ｆ−１のカバレージエリア９０５−ａ−１内で動作するＵＥ１１５−ｆ−１は、近隣基地局１０５−ｆ−２についてのタイミング情報を、ＵＥ１１５−ｆ−２を介して（デバイス間通信リンク１３０−ａ−１によって）受信することができ、ＵＥ１１５−ｆ−４は、近隣基地局１０５−ｆ−２についてのタイミング情報を、ＵＥ１１５−ｆ−３を介して（デバイス間通信リンク１３０−ａ−２によって）受信することができる。
【００９５】
[0107]図１０は、ＵＥと基地局との間のアップリンクについてのタイミング図１０００を示す。ＵＥは、図１、図２、図３、図４、および／または図８を参照して記載したＵＥ１１５のうちの１つの一例であってよく、基地局１０５は、図１、図５、図６、図７、および／または図８を参照して記載した基地局１０５のうちの１つの一例であってよい。アップリンクは、ＵＥとそのサービング基地局との間で、および／またはＵＥと１つもしくは複数の他のＵＥとの間で（たとえば、デバイス間送信として）、様々な送信が行われ得る期間１０１０−ａ−１、１０１０−ａ−２で分離される、アップリンクサブフレームがデバイス間発見のために予約される期間１００５−ａ−１、１００５−ａ−２を含み得る。
【００９６】
[0108]図示されるように、アップリンクサブフレームがデバイス間発見のために予約される期間１００５−ａ−１は、少なくとも１つのアップリンクサブフレーム１０１５を含み得る。いくつかのケースでは、期間１００５−ａ−１は、デバイス間発見のために予約された複数のアップリンクサブフレーム１０２０を含み得る。デバイス間発見のために予約されたアップリンクサブフレームのうちの少なくとも１つにおいて、ＵＥは、基地局から受信されたタイミング情報を含むタイミング信号１０２５を送信することができる。いくつかのケースでは、タイミング信号１０２５は、複数のアップリンクサブフレーム１０２０の中で最初に位置づけられるアップリンクサブフレームの最初のいくつかのシンボル中で送信され得る。いくつかのケースでは、タイミング信号１０２５は、タイミング情報をフォワードするためにのみ予約された少なくとも１つのアップリンクサブフレーム中で送信され得る。
【００９７】
[0109]いくつかのケースでは、図１０は、基地局とＵＥとの間のダウンリンクについてのタイミング図１０００を示し得ることに留意されたい。
【００９８】
[0110]図１１を参照すると、ブロック図が、ワイヤレス通信システム１１００の一例を示している。システム１１００は、複数の通信リンク１２５を介して複数のＵＥ１１５−ｆのうちの様々なものと通信している複数の基地局１０５−ｆを含み得る。基地局１０５−ｆの各々は、ワイヤレス通信システム１１００のセルを画定する、対応するカバレージエリア９０５−ａを有し得る。システム１１００は、いくつかのケースでは多重キャリアＬＴＥネットワークであってよく、いくつかのケースでは、図１および／または図９を参照して記載したワイヤレス通信システム１００および／または９００の１つまたは複数の態様の一例であってよい。基地局１０５−ｆは、図１、図５、図６、図７、および／または図８を参照して記載した基地局１０５の例であってよく、ＵＥ１１５は、図１、図２、図３、図４、および／または図８を参照して記載したＵＥの例であってよい。
【００９９】
[0111]システム１１００のある動作モードにおいて、基地局１０５−ｆの各々は、シンボルレベルタイミング情報などのタイミング情報を、基地局がそれらのためのサービング基地局であるＵＥ１１５−ｆのうちの１つまたは複数に送信することができる。ＵＥ１１５−ｆの各々は次いで、デバイス間発見のためのタイミング情報をフォワードすることができる。このようにして、ＵＥ１１５−ｆ−４は、近隣基地局１０５−ｆ−２および１０５−ｆ−４についてのタイミング情報を、それぞれのＵＥ１１５−ｆ−３および１１５−ｆ−５と、それぞれのデバイス間通信リンク１３０−ａ−２および１３０−ａ−３とを介して受信し得る。
【０１００】
[0112]図１２は、ＵＥと基地局の異なる組合せの間のアップリンクについてのタイミング図１２００である。ＵＥは、図１、図２、図３、図４、および／または図８を参照して記載したＵＥ１１５の一例であってよく、基地局１０５は、図１、図５、図６、図７、および／または図８を参照して記載した基地局１０５の一例であってよい。図１２の下に示されているアップリンクは、第１のＵＥと第１のサービング基地局との間で、および／または第１のＵＥと１つもしくは複数の他のＵＥとの間で（たとえば、デバイス間送信として）、様々な送信が行われ得る期間１０１０−ａ−１、１０１０−ａ−２で分離される、アップリンクサブフレームが第１のＵＥによるデバイス間発見のために予約される期間１００５−ａ−１、１００５−ａ−２を含み得る。同様に、図１２の上に示されているアップリンクは、第２のＵＥと第２のサービング基地局との間で、および／または第２のＵＥと１つもしくは複数の他のＵＥとの間で（たとえば、デバイス間送信として）、様々な送信が行われ得る期間１０１０−ｂ−１、１０１０−ｂ−２で分離される、アップリンクサブフレームが第２のＵＥによるデバイス間発見のために予約される期間１００５−ｂ−１、１００５−ｂ−２を含み得る。
【０１０１】
[0113]図示されるように、アップリンクサブフレームがデバイス間発見のために予約される期間１００５−ａ−１は、少なくとも１つのアップリンクサブフレーム１０１５を含み得る。いくつかのケースでは、期間１００５−ａ−１は、デバイス間発見のために予約された複数のアップリンクサブフレーム１０２０を含み得る。デバイス間発見のために予約されたアップリンクサブフレームのうちの少なくとも１つにおいて、第１のＵＥは、第１のサービング基地局から受信されたタイミング情報を含む第１のタイミング信号１０２５を送信することができる。いくつかのケースでは、第１のタイミング信号１０２５は、複数のアップリンクサブフレーム１０２０の中で最初に位置づけられるアップリンクサブフレームの最初のいくつかのシンボル中で送信され得る。いくつかのケースでは、第１のタイミング信号１０２５は、タイミング情報をフォワードするためにのみ予約された少なくとも１つのアップリンクサブフレーム中で送信され得る。
【０１０２】
[0114]第２のＵＥおよび第２のサービング基地局は、第１のＵＥおよび第１のサービング基地局のアップリンクサブフレームタイミングに対してオフセットされているアップリンクサブフレームタイミングを有し得る。その結果、第２のＵＥは、第２のサービング基地局から受信されたタイミング情報を含む第２のタイミング信号１２０５を送信することができる。第２のタイミング信号は第１のタイミング信号からオフセットされているので、第１のタイミング信号は、アップリンクサブフレーム１０１５の第１の部分中で送信されてよく、第２のタイミング信号は、アップリンクサブフレーム１０１５の第２の部分中で送信されてよい。また、第１のタイミング信号は第１の周波数で送信されてよく、第２のタイミング信号は第２の周波数で送信されてよい。これにより、ＵＥは、タイミング信号の両方を検出し、それらを区別することが可能になり得る。そのような分離は、第１のＵＥとそのサービング基地局との間の、および第２のＵＥとそのサービング基地局との間の同期の欠如による漏れを考慮に入れるべきである。
【０１０３】
[0115]いくつかのケースでは、図１２は、基地局とＵＥの異なる組合せの間のダウンリンクについてのタイミング図１２００を示し得ることに留意されたい。
【０１０４】
[0116]図１３は、デバイス間発見のためのタイミング情報をフォワードするための方法１３００の例を示すフローチャートである。明快のために、方法１３００は、以下では、図１、図２、図３、図４、図８、図９、および／または図１１を参照して記載したＵＥ１１５のうちの１つと、図１、図５、図６、図７、図８、図９、および／または図１１を参照して記載した基地局１０５のうちの１つとを参照して説明され得る。一実施形態では、ＵＥ１１５は、以下で説明する機能を実施するためにＵＥ１１５の機能要素を制御するためのコードの１つまたは複数のセットを実行し得る。
【０１０５】
[0117]ブロック１３０５において、基地局１０５についてのタイミング情報が基地局１０５から受信され得る。タイミング情報は、いくつかのケースでは、基地局１０５についてのシンボルレベルタイミング情報を含み得る。基地局１０５は、いくつかのケースでは、方法１３００を実施するデバイス（たとえば、ＵＥ１１５）用のサービング基地局であってよく、デバイスは基地局１０５と同期され得る。基地局１０５は、いくつかのケースでは、特定のセルまたはカバレージエリアに関連付けられ得る。
【０１０６】
[0118]ブロック１３１０において、タイミング情報を含むタイミング信号が送信され得る。タイミング信号は、デバイス間発見のために予約された少なくとも１つのサブフレーム中に送信され得る。いくつかのケースでは、タイミング信号は、デバイス間発見のために予約された少なくとも１つのサブフレームの中で最初に位置づけられるサブフレーム中に送信され得る。いくつかのケースでは、タイミング信号は、サブフレームの一部分中に、１つまたは複数のシンボル上で送信され得る。サブフレームの部分は、いくつかのケースではサブフレームの第１の部分であってよく、タイミング信号がその上で送信される１つまたは複数のシンボルは、サブフレームの最初のいくつかのシンボルであってよい。サブフレームの最初のいくつかのシンボル上でのタイミング信号の送信は、タイミング情報を送信する基地局１０５および方法１３００を実施するデバイス（たとえば、ＵＥ１１５）が動作するセルに対して非同期に動作する近接セル中で動作するデバイスによって送信されるタイミングおよび／または発見信号とタイミング信号が干渉しないようにすることができ、近接セルは、方法１３００を実施するデバイスによってタイミング信号が送信されるサブフレームとオーバーラップするサブフレーム中にタイミングおよび／または発見信号を送信することができる。
【０１０７】
[0119]いくつかのケースでは、タイミング情報およびタイミング信号は、基地局１０５によって送信されるＰＳＳを含み得る。他のケースでは、タイミング情報およびタイミング信号は、基地局１０５によって送信されるＰＳＳとＳＳＳの両方を含み得る。
【０１０８】
[0120]ブロック１３０５および／または１３１０における動作は、いくつかのケースでは、図２、図３、図４、および／または図８を参照して記載したデバイス間発見モジュール２１５を使って実施され得る。
【０１０９】
[0121]したがって、方法１３００は、デバイス間発見のためのタイミング情報をフォワードすることを可能にし得る。方法１３００は一実装形態にすぎず、方法１３００の動作は、他の実装形態が可能であるように並べ替えられ、または場合によっては変更され得ることに留意されたい。方法１３００は、いくつかの実施形態では、非同期ＬＴＥ展開におけるデバイス間発見のためのタイミング同期に使われ得る。
【０１１０】
[0122]図１４は、デバイス間発見のためのタイミング情報をフォワードするための方法１４００の別の例を示すフローチャートである。明快のために、方法１４００は、以下では、図１、図２、図３、図４、図８、図９、および／または図１１を参照して記載したＵＥ１１５のうちの１つと、図１、図５、図６、図７、図８、図９、および／または図１１を参照して記載した基地局１０５のうちの１つとを参照して説明され得る。一実施形態では、ＵＥ１１５は、以下で説明する機能を実施するためにＵＥ１１５の機能要素を制御するためのコードの１つまたは複数のセットを実行し得る。
【０１１１】
[0123]ブロック１４０５において、基地局１０５についてのタイミング情報が基地局１０５から受信され得る。タイミング情報は、いくつかのケースでは、基地局１０５についてのシンボルレベルタイミング情報を含み得る。基地局１０５は、いくつかのケースでは、方法１４００を実施するデバイス（たとえば、ＵＥ１１５）用のサービング基地局であってよく、デバイスは基地局１０５と同期され得る。基地局１０５は、いくつかのケースでは、特定のセルまたはカバレージエリアに関連付けられ得る。
【０１１２】
[0124]ブロック１４１０において、タイミング信号を送信するための命令が基地局１０５から受信され得る。
【０１１３】
[0125]ブロック１４１５において、およびタイミング信号を送信するための命令を受信した後の何らかの時点で（たとえば、命令を受信した後直ちに、所定もしくは指定された遅延の後で、または何らかの指定された時間に）、タイミング信号が送信され得る。タイミング信号は、基地局１０５から受信されたタイミング情報を含み得る。タイミング信号は、デバイス間発見のために予約された少なくとも１つのサブフレーム中に送信され得る。いくつかのケースでは、タイミング信号は、デバイス間発見のために予約された少なくとも１つのサブフレームの中で最初に位置づけられるサブフレーム中に送信され得る。いくつかのケースでは、タイミング信号は、サブフレームの一部分中に、１つまたは複数のシンボル上で送信され得る。サブフレームの部分は、いくつかのケースではサブフレームの第１の部分であってよく、タイミング信号がその上で送信される１つまたは複数のシンボルは、サブフレームの最初のいくつかのシンボルであってよい。サブフレームの最初のいくつかのシンボル上でのタイミング信号の送信は、タイミング情報を送信する基地局１０５および方法１４００を実施するデバイス（たとえば、ＵＥ１１５）が動作するセルに対して非同期に動作する近接セル中で動作するデバイスによって送信されるタイミングおよび／または発見信号とタイミング信号が干渉しないようにすることができ、近接セルは、方法１４００を実施するデバイスによってタイミング信号が送信されるサブフレームとオーバーラップするサブフレーム中にタイミングおよび／または発見信号を送信することができる。
【０１１４】
[0126]いくつかのケースでは、タイミング信号は、サブフレームの第１の部分中に、第１の周波数で、１つまたは複数のシンボル上で送信され得る。追加タイミング信号が、サブフレームの第２の部分中に、第２の周波数で、１つまたは複数のシンボル上で送信され得る。第１の周波数は第２の周波数とは異なってよく、サブフレームの第１の部分はサブフレームの第２の部分とは異なってよい。追加タイミング信号は、方法１４００を実施するデバイス以外のデバイスによって送信されてよく、この他のデバイスは、追加基地局（すなわち、方法１４００を実施するデバイスがブロック１４０５においてタイミング情報をそこから受信する基地局以外の基地局）と同期される。追加タイミング信号は、追加基地局についてのタイミング情報を含み得る。追加タイミング信号は、方法１４００を実施するデバイスによって送信されるタイミング信号と同じサブフレーム中に送信され得るが、それは、追加タイミング信号が、方法１４００を実施するデバイスがタイミング信号を送信するサブフレームとオーバーラップする追加サブフレームの一部として送信されるからである。いくつかのケースでは、基地局１０５と追加基地局は、非近隣基地局であり得る（たとえば、基地局１０５および追加基地局用に画定されたセルは非隣接であり得る）。
【０１１５】
[0127]いくつかのケースでは、タイミング情報およびタイミング信号は、基地局１０５によって送信されるＰＳＳを含み得る。他のケースでは、タイミング情報およびタイミング信号は、基地局１０５によって送信されるＰＳＳとＳＳＳの両方を含み得る。
【０１１６】
[0128]いくつかのケースでは、タイミング信号の１つまたは複数の追加コピーが、デバイス間発見のために予約された少なくとも１つのサブフレーム中に送信され得る。たとえば、基地局１０５によって送信されるＰＳＳを含むタイミング信号の複数のコピーが、連続サブフレーム中に送信されてよく、タイミング信号の各後続コピーは、ＰＳＳの反復バージョンを含む。
【０１１７】
[0129]ブロック１４２０において、デバイス間発見信号が、デバイス間発見のために予約された少なくとも１つのサブフレーム中に送信され得る。デバイス間発見信号は、いくつかのケースでは、タイミング信号が送信されるサブフレームとは異なるサブフレーム中に送信され得る。
【０１１８】
[0130]ブロック１４０５、１４１０、１４１５および／または１４２０における動作は、いくつかのケースでは、図２、図３、図４、および／または図８を参照して記載したデバイス間発見モジュール２１５を使って実施され得る。
【０１１９】
[0131]したがって、方法１４００は、デバイス間発見のためのタイミング情報をフォワードすることを可能にし得る。方法１４００は一実装形態にすぎず、方法１４００の動作は、他の実装形態が可能であるように並べ替えられ、または場合によっては変更され得ることに留意されたい。方法１４００は、いくつかの実施形態では、非同期ＬＴＥ展開におけるデバイス間発見のためのタイミング同期に使われ得る。
【０１２０】
[0132]図１５は、デバイス間発見のためのタイミング情報を管理するための方法１５００の例を示すフローチャートである。明快のために、方法１５００は、以下では、図１、図５、図６、図７、図８、図９、および／または図１１を参照して記載した基地局１０５のうちの１つと、図１、図２、図３、図４、図８、図９、および／または図１１を参照して記載したＵＥ１１５のうちの１つとを参照して説明され得る。一実施形態では、基地局１０５は、以下で説明する機能を実施するために基地局１０５の機能要素を制御するためのコードの１つまたは複数のセットを実行し得る。
【０１２１】
[0133]ブロック１５０５において、基地局１０５についてのタイミング情報がＵＥ１１５に送信され得る。タイミング情報は、いくつかのケースでは、基地局１０５についてのシンボルレベルタイミング情報を含み得る。基地局１０５は、いくつかのケースでは、ＵＥ１１５用のサービング基地局であってよく、ＵＥ１１５は基地局１０５と同期されてよい。基地局１０５は、いくつかのケースでは、特定のセルまたはカバレージエリアに関連付けられ得る。
【０１２２】
[0134]ブロック１５１０において、タイミング情報を含むタイミング信号を送信するための命令がＵＥ１１５に送信され得る。命令は、デバイス間発見のために予約された少なくとも１つのサブフレーム中にタイミング信号が送信されるべきであると指定し得る。いくつかのケースでは、命令は、デバイス間発見のために予約された少なくとも１つのサブフレームの中で最初に位置づけられるサブフレーム中でのタイミング信号の送信を指定し得る。
【０１２３】
[0135]いくつかのケースでは、タイミング情報およびタイミング信号は、基地局１０５によって送信されるＰＳＳを含み得る。他のケースでは、タイミング情報およびタイミング信号は、基地局１０５によって送信されるＰＳＳとＳＳＳの両方を含み得る。
【０１２４】
[0136]ブロック１５０５および／または１５１０における動作は、いくつかのケースでは、図５、図６、図７、および／または図８を参照して記載したデバイス間発見管理モジュール５１５を使って実施され得る。
【０１２５】
[0137]したがって、方法１５００は、デバイス間発見のためのタイミング情報をフォワードすることを可能にし得る。方法１５００は一実装形態にすぎず、方法１５００の動作は、他の実装形態が可能であるように並べ替えられ、または場合によっては変更され得ることに留意されたい。方法１５００は、いくつかの実施形態では、非同期ＬＴＥ展開におけるデバイス間発見のためのタイミング同期に使われ得る。
【０１２６】
[0138]図１６は、デバイス間発見のためのタイミング情報を管理するための方法１６００の例を示すフローチャートである。明快のために、方法１６００は、以下では、図１、図５、図６、図７、図８、図９、および／または図１１を参照して記載した基地局１０５のうちの１つと、図１、図２、図３、図４、図８、図９、および／または図１１を参照して記載したＵＥ１１５のうちの１つとを参照して説明され得る。一実施形態では、基地局１０５は、以下で説明する機能を実施するために基地局１０５の機能要素を制御するためのコードの１つまたは複数のセットを実行し得る。
【０１２７】
[0139]ブロック１６０５において、基地局１０５についてのタイミング情報が、複数のＵＥ１１５（たとえば、ＵＥ１１５および少なくとも１つの他のＵＥ１１５）に送信され得る。タイミング情報は、いくつかのケースでは、基地局１０５についてのシンボルレベルタイミング情報を含み得る。基地局１０５は、いくつかのケースでは、ＵＥ１１５用のサービング基地局であってよく、ＵＥ１１５は基地局１０５と同期されてよい。基地局１０５は、いくつかのケースでは、特定のセルまたはカバレージエリアに関連付けられ得る。
【０１２８】
[0140]ブロック１６１０において、基地局１０５に送信するＵＥ１１５の密度が決定され得る。ブロック１６１５において、基地局１０５までの複数のＵＥ１１５の各々の距離が決定され得る。
【０１２９】
[0141]ブロック１６２０において、サブフレームの一部分中の１つまたは複数のシンボルが識別され得る。１つまたは複数のシンボルは、ＵＥ１１５によって、タイミング信号を送信するために使われ得る。サブフレームの部分は、いくつかのケースではサブフレームの第１の部分であってよく、タイミング信号がその上で送信され得る１つまたは複数のシンボルは、サブフレームの最初のいくつかのシンボルであってよい。サブフレームの最初のいくつかのシンボル上でのタイミング信号の送信は、基地局１０５およびＵＥ１１５が動作するセルに対して非同期に動作する近接セル中で動作するデバイスによって送信されるタイミングおよび／または発見信号とタイミング信号が干渉しないようにすることができ、近接セルは、ＵＥ１１５によってタイミング信号が送信されるサブフレームとオーバーラップするサブフレーム中にタイミングおよび／または発見信号を送信し得る。
【０１３０】
[0142]ブロック１６２５において、タイミング情報を含むタイミング信号を送信するための命令が、ブロック１６０５においてタイミング情報が送信された複数のＵＥ１１５から選択されたＵＥ１１５のサブセットに送信され得る。ブロック１６１０において決定されたＵＥ１１５の密度および／またはブロック１６１５において決定された距離に少なくとも部分的に基づいて、ＵＥのサブセットが選択されてよく、命令が送信されてよい。これは、たとえば、セルもしくはカバレージエリア境界の近くのＵＥのみがタイミング情報をフォワードすることを可能にすることによって、電力消費を削減するのに、および／または干渉（たとえば、オーバーラップするサブフレーム中にＵＥがタイミング信号を送信した結果としての漏れによる）を削減するのに有益であり得る。命令は、デバイス間発見のために予約された少なくとも１つのサブフレーム中に、１つまたは複数の識別されたシンボル上でタイミング信号が送信されるべきであると指定し得る。いくつかのケースでは、命令は、デバイス間発見のために予約された少なくとも１つのサブフレームの中で最初に位置づけられるサブフレーム中でのタイミング信号の送信を指定し得る。
【０１３１】
[0143]いくつかのケースでは、タイミング情報およびタイミング信号は、基地局１０５によって送信されるＰＳＳを含み得る。他のケースでは、タイミング情報およびタイミング信号は、基地局１０５によって送信されるＰＳＳとＳＳＳの両方を含み得る。
【０１３２】
[0144]いくつかのケースでは、基地局は、タイミング信号が送信されるサブフレームに拡張サイクリックプレフィックスを適用するように構成され得る。これは、タイミング信号（たとえば、ＳＳＳ）の一部に対してコヒーレント検出が使われるとき、より高い遅延拡散を扱うのに有益であり得る。
【０１３３】
[0145]ブロック１６０５、１６１０、１６１５、１６２０および／または１６２５における動作は、いくつかのケースでは、図５、図６、図７、および／または図８を参照して記載したデバイス間発見管理モジュール５１５を使って実施され得る。
【０１３４】
[0146]したがって、方法１６００は、デバイス間発見のためのタイミング情報をフォワードすることを可能にし得る。方法１６００は一実装形態にすぎず、方法１６００の動作は、他の実装形態が可能であるように並べ替えられ、または場合によっては変更され得ることに留意されたい。方法１６００は、いくつかの実施形態では、非同期ＬＴＥ展開におけるデバイス間発見のためのタイミング同期に使われ得る。
【０１３５】
[0147]図１７は、デバイス間発見のためのタイミング情報を検出するための方法１７００の例を示すフローチャートである。明快のために、方法１７００は、以下では、図１、図２、図３、図４、図８、図９、および／または図１１を参照して記載したＵＥ１１５のうちの複数のものを参照して説明される。一実施形態では、ＵＥ１１５は、以下で説明する機能を実施するためにＵＥ１１５の機能要素を制御するためのコードの１つまたは複数のセットを実行し得る。
【０１３６】
[0148]ブロック１７０５において、近隣基地局によってデバイス間発見のために予約されたサブフレームのタイミングを示す情報が、サービング基地局１０５から、（たとえば、ＵＥ１１５において）受信され得る。方法１７００を実施するデバイスまたはＵＥ１１５は基地局１０５と同期され得る。基地局１０５は、いくつかのケースでは、特定のセルまたはカバレージエリアに関連付けられ得る。
【０１３７】
[0149]ブロック１７１０において、近隣基地局についてのタイミング情報を含むタイミング信号が、デバイス間発見のために予約されたサブフレームのうちの少なくとも１つの間に検出され得る。タイミング情報は、いくつかのケースでは、近隣基地局についてのシンボルレベルタイミング情報を含み得る。
【０１３８】
[0150]いくつかのケースでは、タイミング信号は、近隣基地局によって送信されるＰＳＳを含み得る。他のケースでは、タイミング信号は、近隣基地局によって送信されるＰＳＳとＳＳＳの両方を含み得る。
【０１３９】
[0151]ブロック１７０５および／または１７１０における動作は、いくつかのケースでは、図２、図３、図４、および／または図８を参照して記載したデバイス間発見モジュール２１５を使って実施され得る。
【０１４０】
[0152]したがって、方法１７００は、デバイス間発見のためのタイミング情報をフォワードすることを可能にし得る。方法１７００は一実装形態にすぎず、方法１７００の動作は、他の実装形態が可能であるように並べ替えられ、または場合によっては変更され得ることに留意されたい。方法１７００は、いくつかの実施形態では、非同期ＬＴＥ展開におけるデバイス間発見のためのタイミング同期に使われ得る。
【０１４１】
[0153]図１８は、デバイス間発見のためのタイミング情報を検出するための方法１８００の例を示すフローチャートである。明快のために、方法１８００は、以下では、図１、図２、図３、図４、図８、図９、および／または図１１を参照して記載したＵＥ１１５のうちの複数のものを参照して説明される。一実施形態では、ＵＥ１１５は、以下で説明する機能を実施するためにＵＥ１１５の機能要素を制御するためのコードの１つまたは複数のセットを実行し得る。
【０１４２】
[0154]ブロック１８０５において、少なくとも１つの近隣基地局によってデバイス間発見のために予約されたサブフレームのタイミングを示す情報が、サービング基地局１０５から、（たとえば、ＵＥ１１５において）受信され得る。方法１８００を実施するデバイスまたはＵＥ１１５は基地局１０５と同期され得る。基地局１０５は、いくつかのケースでは、特定のセルまたはカバレージエリアに関連付けられ得る。
【０１４３】
[0155]ブロック１８１０において、近隣基地局についてのタイミング情報を含むタイミング信号が、デバイス間発見のために予約されたサブフレーム中に第１の周波数で検出され得る。タイミング情報は、いくつかのケースでは、近隣基地局についてのシンボルレベルタイミング情報を含み得る。ブロック１８１５において、近隣基地局によってサービスされるＵＥ１１５が、検出されたタイミング信号によって与えられるタイミング情報を使って発見され得る。
【０１４４】
[0156]随意には、ブロック１８２０において、追加近隣基地局についてのタイミング情報を含む追加タイミング信号が、デバイス間発見のために予約されたサブフレーム中に第２の周波数で検出され得る。タイミング情報は、いくつかのケースでは、追加近隣基地局についてのシンボルレベルタイミング情報を含み得る。ブロック１８２５において、追加近隣基地局によってサービスされるＵＥ１１５が、検出された追加タイミング信号によって与えられるタイミング情報を使って発見され得る。ブロック１８１０において検出されたタイミング信号およびブロック１８２０において検出された追加タイミング信号は、同じまたは異なるサブフレーム中に検出され得る。
【０１４５】
[0157]いくつかのケースでは、タイミング信号および／または追加タイミング信号は、近隣基地局および／または追加近隣基地局によって送信されるＰＳＳを含み得る。他のケースでは、タイミング信号および／または追加タイミング信号は、近隣基地局および／または追加近隣基地局によって送信されるＰＳＳとＳＳＳの両方を含み得る。
【０１４６】
[0158]ブロック１８０５、１８１０、１８１５、１８２０および／または１８２５における動作は、いくつかのケースでは、図２、図３、図４、および／または図８を参照して記載したデバイス間発見モジュール２１５を使って実施され得る。
【０１４７】
[0159]したがって、方法１８００は、デバイス間発見のためのタイミング情報をフォワードすることを可能にし得る。方法１８００は一実装形態にすぎず、方法１８００の動作は、他の実装形態が可能であるように並べ替えられ、または場合によっては変更され得ることに留意されたい。方法１８００は、いくつかの実施形態では、非同期ＬＴＥ展開におけるデバイス間発見のためのタイミング同期に使われ得る。
【０１４８】
[0160]添付の図面に関連して上記に記載された発明を実施するための形態は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利である」ことを意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０１４９】
[0161]本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」と「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ。ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書において説明される技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【０１５０】
[0162]様々な開示される実施形態のいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ）レイヤにおける通信はＩＰベースであり得る。無線リンク制御（ＲＬＣ）レイヤは、論理チャネルを介して通信するために、パケットセグメンテーションとリアセンブリとを実施することができる。媒体アクセス制御（ＭＡＣ）レイヤは、優先度処理と、トランスポートチャネルへの論理チャネルの多重化とを実施することができる。ＭＡＣレイヤはまた、ＭＡＣレイヤで再送信を行ってリンク効率を改善するために、ハイブリッドＡＲＱ（ＨＡＲＱ）を使用することができる。物理レイヤで、トランスポートチャネルは物理チャネルにマッピングされ得る。
【０１５１】
[0163]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１５２】
[0164]本明細書の開示に関して記載された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書に記載された機能を実施するように設計されたそれらの任意の組合せを用いて、実装または実施される場合がある。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していてもよく、メモリは、プロセッサによって実行可能な命令を記憶する。
【０１５３】
[0165]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的な場所において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１５４】
[0166]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のコンピュータ可読プログラムコードを搬送もしくは記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモート光源から送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【０１５５】
[0167]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、出願当初の特許請求の範囲に記載された発明を付記する。
［Ｃ１］
ワイヤレス通信のための方法であって、
基地局から、前記基地局についてのタイミング情報を受信することと、
前記タイミング情報を備えるタイミング信号を送信することと、前記タイミング信号は、デバイス間発見のために予約された少なくとも１つのサブフレーム中に送信される、を備える方法。
［Ｃ２］
サブフレームの一部分中に１つまたは複数のシンボルを使って前記タイミング信号を送信することをさらに備える、Ｃ１に記載の方法。
［Ｃ３］
前記タイミング信号が送信されるサブフレームは、デバイス間発見のために予約された前記少なくとも１つのサブフレームの中で最初に位置づけられる、Ｃ１に記載の方法。
［Ｃ４］
前記基地局から、前記タイミング信号を送信するための命令を受信することと、
前記命令が受信された後、前記タイミング信号を送信することとをさらに備える、Ｃ１に記載の方法。
［Ｃ５］
サブフレームの第１の部分中に第１の周波数で１つまたは複数のシンボルを使って前記タイミング信号を送信すること、ここにおいて追加タイミング信号は、前記サブフレームの第２の部分中に第２の周波数で１つまたは複数のシンボルを使って送信され、前記追加タイミング信号は、追加基地局についてのタイミング情報を備える、をさらに備える、Ｃ１に記載の方法。
［Ｃ６］
前記第１の周波数は前記第２の周波数とは異なり、前記サブフレームの前記第１の部分は前記サブフレームの前記第２の部分とは異なる、Ｃ５に記載の方法。
［Ｃ７］
前記基地局と前記追加基地局は非近隣基地局である、Ｃ５に記載の方法。
［Ｃ８］
デバイス間発見のために予約された前記少なくとも１つのサブフレーム中に前記タイミング信号の１つまたは複数の追加コピーを送信することをさらに備える、Ｃ１に記載の方法。
［Ｃ９］
前記タイミング情報および前記タイミング信号は、前記基地局によって送信される１次同期信号を備える、Ｃ１に記載の方法。
［Ｃ１０］
前記タイミング情報および前記タイミング信号は、前記基地局によって送信される１次同期信号（ＰＳＳ）と２次同期信号（ＳＳＳ）とを備える、Ｃ１に記載の方法。
［Ｃ１１］
デバイス間発見のために予約された前記少なくとも１つのサブフレーム中にデバイス間発見信号を送信することをさらに備える、Ｃ１に記載の方法。
［Ｃ１２］
前記デバイス間発見信号は、前記タイミング信号が送信されるサブフレームとは異なるサブフレーム中に送信される、Ｃ１１に記載の方法。
［Ｃ１３］
前記タイミング情報は、前記基地局についてのシンボルレベルタイミング情報を備える、Ｃ１に記載の方法。
［Ｃ１４］
ワイヤレス通信のための装置であって、
基地局から、前記基地局についてのタイミング情報を受信するための手段と、
前記タイミング情報を備えるタイミング信号を送信するための手段と、前記タイミング信号は、デバイス間発見のために予約された少なくとも１つのサブフレーム中に送信される、を備える装置。
［Ｃ１５］
サブフレームの一部分中に１つまたは複数のシンボルを使って前記タイミング信号を送信するための手段をさらに備える、Ｃ１４に記載の装置。
［Ｃ１６］
前記タイミング信号が送信されるサブフレームは、デバイス間発見のために予約された前記少なくとも１つのサブフレームの中で最初に位置づけられる、Ｃ１４に記載の装置。
［Ｃ１７］
前記基地局から、前記タイミング信号を送信するための命令を受信するための手段と、
前記命令が受信された後、前記タイミング信号を送信するための手段とをさらに備える、Ｃ１４に記載の装置。
［Ｃ１８］
サブフレームの第１の部分中に第１の周波数で１つまたは複数のシンボルを使って前記タイミング信号を送信するための手段、ここにおいて追加タイミング信号は、前記サブフレームの第２の部分中に第２の周波数で１つまたは複数のシンボルを使って送信され、前記追加タイミング信号は、追加基地局についてのタイミング情報を備える、をさらに備える、Ｃ１４に記載の装置。
［Ｃ１９］
前記第１の周波数は前記第２の周波数とは異なり、前記サブフレームの前記第１の部分は前記サブフレームの前記第２の部分とは異なる、Ｃ１８に記載の装置。
［Ｃ２０］
前記基地局と前記追加基地局は非近隣基地局である、Ｃ１８に記載の装置。
［Ｃ２１］
デバイス間発見のために予約された前記少なくとも１つのサブフレーム中に前記タイミング信号の１つまたは複数の追加コピーを送信するための手段をさらに備える、Ｃ１４に記載の装置。
［Ｃ２２］
前記タイミング情報および前記タイミング信号は、前記基地局によって送信される１次同期信号を備える、Ｃ１４に記載の装置。
［Ｃ２３］
前記タイミング情報および前記タイミング信号は、前記基地局によって送信される１次同期信号（ＰＳＳ）と２次同期信号（ＳＳＳ）とを備える、Ｃ１４に記載の装置。
［Ｃ２４］
デバイス間発見のために予約された前記少なくとも１つのサブフレーム中にデバイス間発見信号を送信するための手段、ここにおいて前記デバイス間発見信号は、前記タイミング信号が送信されるサブフレームとは異なるサブフレーム中に送信される、をさらに備える、Ｃ１４に記載の装置。
［Ｃ２５］
前記タイミング情報は、前記基地局についてのシンボルレベルタイミング情報を備える、Ｃ１４に記載の装置。
［Ｃ２６］
ワイヤレス通信のための方法であって、
モバイルデバイスに、基地局についてのタイミング情報を送信することと、
デバイス間発見のために予約された少なくとも１つのサブフレーム中に、前記タイミング情報を備えるタイミング信号を送信するための命令を前記モバイルデバイスに送信することとを備える方法。
［Ｃ２７］
サブフレームの一部分中に１つまたは複数のシンボルを識別することと、
前記１つまたは複数の識別されたシンボルを使って前記タイミング信号を送信するための命令を前記モバイルデバイスに送信することとをさらに備える、Ｃ２６に記載の方法。
［Ｃ２８］
少なくとも１つの他のモバイルデバイスに、前記基地局についての前記タイミング情報を送信することと、
デバイス間発見のために予約された前記少なくとも１つのサブフレーム中に、前記タイミング情報を備える前記タイミング信号を送信するための命令を、前記モバイルデバイスおよび前記少なくとも１つの他のモバイルデバイスから選択されたモバイルデバイスのサブセットに送信することとをさらに備える、Ｃ２６に記載の方法。
［Ｃ２９］
前記タイミング信号が送信される前記サブフレームに拡張サイクリックプレフィックスを適用することをさらに備える、Ｃ２６に記載の方法。
［Ｃ３０］
ワイヤレス通信のための装置であって、
プロセッサと、
前記プロセッサと電子通信しているメモリとを備え、前記メモリは、前記プロセッサによって、
モバイルデバイスに、前記装置についてのタイミング情報を送信し、
デバイス間発見のために予約された少なくとも１つのサブフレーム中に、前記タイミング情報を備えるタイミング信号を送信するための命令を前記モバイルデバイスに送信するように実行可能な命令を記憶する、装置。
【図１】
0006599326.tif 000002
【図２】
0006599326.tif 000003
【図３】
0006599326.tif 000004
【図４】
0006599326.tif 000005
【図５】
0006599326.tif 000006
【図６】
0006599326.tif 000007
【図７】
0006599326.tif 000008
【図８】
0006599326.tif 000009
【図９】
0006599326.tif 000010
【図１０】
0006599326.tif 000011
【図１１】
0006599326.tif 000012
【図１２】
0006599326.tif 000013
【図１３】
0006599326.tif 000014
【図１４】
0006599326.tif 000015
【図１５】
0006599326.tif 000016
【図１６】
0006599326.tif 000017
【図１７】
0006599326.tif 000018
【図１８】
0006599326.tif 000019